(57)【要約】【課題】展示施設の壁構造。【解決手段】隣り合う居室Ｂと、居室Ａとの間を仕切る壁部（20）を有する壁構造を対象としている。壁部（20）に形成される開口部（21）に嵌め込まれて壁部（20）と一体に形成される透過型スクリーン（22）が取り付けられ、透過型スクリーン（22）は、居室Ｂから映像光を投写して、投写した映像を居室Ａから鑑賞可能に構成されている。【選択図】図３
2010116709.tif 000002
【特許請求の範囲】
【請求項１】
隣り合う第１の居室Ｂと第２の居室Ａとの間を仕切る壁本体部（20）を有する壁構造であって、
上記壁本体部（20）には、該壁本体部（20）に形成される開口部（21）に嵌め込まれて壁本体部（20）と一体に形成される透過型スクリーン（22）が取り付けられ、
上記透過型スクリーン（22）は、第１の居室Ｂから映像光を投写して該投写した映像を第２の居室Ａから鑑賞可能に構成されている
ことを特徴とする壁構造。
【請求項２】
請求項１において、
上記第１の居室Ｂから投写した映像光を反射し、該反射した映像を第１の居室Ｂから鑑賞可能に構成された反射型スクリーン（25）を、上記壁本体部（20）の第１の居室Ｂ側に設置するための設置部材（26）を備えている
ことを特徴とする壁構造。
【請求項３】
請求項１又は２において、
上記壁本体部（20）は、
該壁本体部（20）の第１の居室Ｂ側に、該第１の居室Ｂ側からの映像の鑑賞に対応するよう上記両居室Ａ,Ｂ内に設けられた機器類を操作する第１操作部（41b）と、
上記壁本体部（20）の第２の居室Ａ側に、該第２の居室Ａ側からの映像の鑑賞に対応するよう上記両居室Ａ,Ｂ内に設けられた機器類を操作する第２操作部（41a）とを備えている
ことを特徴とする壁構造。
【発明の詳細な説明】
【技術分野】
【０００１】
本発明は、壁構造に関し、特に、展示場等を用途とする壁に係るものである。
【背景技術】
【０００２】
従来より、プロジェクタを用いた映像鑑賞施設が知られている。特許文献１には、居室内にプロジェクタ及び反射型スクリーンを設置し、リモコンにより各機器を操作する映像鑑賞施設が開示されている。
【０００３】
また、特許文献２に示すように、リアスクリーンを用いて映像を投写する映像鑑賞室構造が開示されている。この映像鑑賞室構造では、リアスクリーンの背後からプロジェクタの映像光を投写して、その映像をリアスクリーンの表面側から鑑賞することができる。
【特許文献１】特開２００４−２９７２６２号公報
【特許文献２】特開２００６−１３３４６２号公報
【発明の開示】
【発明が解決しようとする課題】
【０００４】
しかしながら、特許文献１に示す映像鑑賞施設では、プロジェクタの正面に反射型スクリーンを設置する必要があるため、映像を鑑賞する部屋に、プロジェクタ等の設備を配置する必要がある。一方、特許文献２に示す映像鑑賞室構造では、リアスクリーンの背面側にプロジェクタ等を設置する必要があった。つまり、従来の映像鑑賞施設では、映像を鑑賞する場合、鑑賞する部屋毎にプロジェクタ等を設置する必要があるという問題があった。
【０００５】
本発明は、斯かる点に鑑みてなされたものであり、２つの居室間で映像を投写する装置を共有させることを目的とする。
【課題を解決するための手段】
【０００６】
第１の発明は、隣り合う第１の居室Ｂと第２の居室Ａとの間を仕切る壁本体部（20）を有する壁構造であって、上記壁本体部（20）には、該壁本体部（20）に形成される開口部（21）に嵌め込まれて壁本体部（20）と一体に形成される透過型スクリーン（22）が取り付けられ、上記透過型スクリーン（22）は、第１の居室Ｂから映像光を投写して該投写した映像を第２の居室Ａから鑑賞可能に構成されている。
【０００７】
上記第１の発明では、第１の居室Ｂから映像光を投写すると、該映像光は透過型スクリーン（22）を透過する。そして、透過型スクリーン（22）は、第２の居室Ａへ映像を映し出す。透過型スクリーン（22）へ映し出された映像は、第２の居室Ａから鑑賞する。
【０００８】
第２の発明は、上記第１の居室Ｂから投写した映像光を反射し、該反射した映像を第１の居室Ｂから鑑賞可能に構成された反射型スクリーン（25）を、上記壁本体部（20）の第１の居室Ｂ側に設置するための設置部材（26）を備えている。
【０００９】
上記第２の発明では、壁本体部（20）の第１の居室Ｂ側に反射型スクリーン（25）を設置すると、第１の居室Ｂから投写した映像光は、反射型スクリーン（25）に反射する。そして、反射型スクリーン（25）は、第１の居室Ｂへ映像を映し出す。映し出された映像は、第１の居室Ｂから鑑賞する。
【００１０】
第３の発明は、上記第１の発明において、上記壁本体部（20）は、該壁本体部（20）の第１の居室Ｂ側に、該第１の居室Ｂ側からの映像の鑑賞に対応するよう上記両居室Ａ,Ｂ内に設けられた機器類を操作する第１操作部（41b）と、上記壁本体部（20）の第２の居室Ａ側に、該第２の居室Ａ側からの映像の鑑賞に対応するよう上記両居室Ａ,Ｂ内に設けられた機器類を操作する第２操作部（41a）とを備えている。
【００１１】
上記第３の発明では、第１操作部（41b）を操作して、第１の居室Ｂ及び第２の居室Ａの機器類を、第１の居室Ｂ側のみから映像が鑑賞可能となるよう設定する。一方、第２操作部（41a）を操作して、第２の居室Ａ及び第１の居室Ｂの機器類を、第２の居室Ａ側のみから映像が鑑賞可能となるよう設定する。
【発明の効果】
【００１２】
上記第１の発明によれば、壁本体部（20）と一体に形成される透過型スクリーン（22）を取り付けたため、第１の居室Ｂから投写した映像光を透過して第２の居室Ａから映像を鑑賞することができる。これにより、映像を鑑賞する第２の居室Ａに映像を投写する設備を設置する必要がなくなる。
【００１３】
上記第２の発明によれば、壁本体部（20）の第１の居室Ｂ側に反射型スクリーン（25）を設置するようにしたため、第１の居室Ｂから投写した映像光を反射させて、該第１の居室Ｂから映像を鑑賞することができる。つまり、第１の居室Ｂから投写する映像光を、透過型スクリーン（22）に投写させて該第２の居室Ａから鑑賞する場合と、反射型スクリーン（25）に投写させて第１の居室Ｂから鑑賞する場合とを選択することができる。これにより、１つの映像源を２つの居室（A,B）で共有させることができる。
【００１４】
上記第３の発明によれば、第１操作部（41b）及び第２操作部（41a）を設けたため、第１操作部（41b）では、第１の居室Ｂでの映像鑑賞に必要な第２の居室Ａ及び第１の居室Ｂに設けられた機器類の設定を行うことができる一方、第２操作部（41a）では、第２の居室Ａでの映像鑑賞に必要な第２の居室Ａ及び第１の居室Ｂに設けられた機器類の設定を行うことができる。つまり、第１操作部（41b）を操作すると、第１の居室Ｂのみならず第２の居室Ａの機器類をも設定対象として第１の居室Ｂで映像が鑑賞可能となる一方、第２操作部（41a）を操作すると、第２の居室Ａのみならず第１の居室Ｂの機器類をも設定対象として第２の居室Ａで映像が鑑賞可能となる。これにより、第１操作部（41b）を操作するだけで、両居室Ａ,Ｂの機器類の設定がなされて第１の居室Ｂで映像を鑑賞することができると共に、第２操作部（41a）を操作するだけで、両居室Ａ,Ｂの機器類の設定がなされて第２の居室Ａで映像を鑑賞することができる。
【発明を実施するための最良の形態】
【００１５】
以下、本発明の実施形態を図面に基づいて詳細に説明する。
【００１６】
図１及び図２に示すように、本実施形態に係るフロア（1）は、天井側から視て長方形状の床面を有し、複数階層の建物の一のフロアを形成するものであり、居室Ａ及び居室Ｂで構成されている。居室Ａと居室Ｂとは、壁部（20）によって水平方向に２つに仕切られている。また、フロア（1）には、居室Ａ及び居室Ｂに設けられる各機器類を制御するコントローラ（40）が設けられている。コントローラ（40）の構成については、後述する。
【００１７】
上記居室Ａは、床面（11）、天井面（12）、側面壁、背面壁（15）及び壁部（20）からなる箱状の居室に形成され、本発明に係る第２の居室を構成するものである。尚、壁部（20）については後述する。この居室Ａは、企業等が自社製品を見学者に見学してもらうことを目的として設置される、いわゆるショールームを構成している。居室Ａの内部には、見学者Ｐが座る椅子（16）及び机（17）が設置されている。また、居室Ａ内には、図示はしないが、空調機の室内機、照明、ブラインド（18）、ＤＶＤプレーヤ及び音響調整ＡＶアンプもそれぞれ配置されている。この見学者Ｐは、椅子（16）に座った状態で壁部（20）側を向くことで、壁部（20）に形成された透過型スクリーン（22）に映し出された映像を鑑賞することができる。尚、居室Ａのレイアウト等は、居室Ａの使用用途等に応じて自由に変更することができる。
【００１８】
上記居室Ｂは、床面（31）、天井面（32）、側面壁、背面壁（35）及び壁部（20）からなる箱状の居室に形成され、本発明に係る第１の居室を構成している。この居室Ｂは、複数人に対して発表等を行うことを目的として設置される、いわゆるプレゼンテーションルームを構成している。居室Ｂの内部には、プロジェクタ（38）、反射型スクリーン（25）、複数個の椅子（36）及び机（37）が設けられている。また、居室Ｂ内には、図示はしないが、空調機の室内機、照明、ブラインド（39）、ＤＶＤプレーヤ及び音響調整ＡＶアンプがそれぞれ配置されている。さらに、居室Ｂの天井面（32）及び壁部（20）には、反射型スクリーン（25）を取り付けるためのケーシング（26）が取り付けられている
上記プロジェクタ（38）は、透過型スクリーン（22）に映像光を投写してスクリーンへ映像を映し出す、リアプロジェクション型プロジェクタに構成されている。このプロジェクタ（38）は、居室Ｂの天井面（32）の中央部に取り付けられ、壁部（20）の背面側へ向けて映像光を投写するよう構成されている。また、プロジェクタ（38）は、反射型スクリーン（25）に対応した反射型投写モードと、該反射型投写モードの投写光を反転させて透過型スクリーン（22）に対応させた透過型投写モードを切換可能に構成されている。
【００１９】
上記ケーシング（26）は、反射型スクリーン（25）を担持すると共に、非使用時には反射型スクリーン（25）を収納するものであり、本発明に係る設置部材を構成する。ケーシング（26）は、下端面が開放された横長の直方体状に形成され、上端面が天井面（32）に取り付けられ、且つ長手方向の一側面が、居室Ｂ側の壁部（20）上方に取り付けられている。ケーシング（26）内には、長手方向の両端に担持部（27,27）と、棒部材（図示なし）が設けられている。棒部材は、反射型スクリーン（25）を取り付けると共に、反射型スクリーン（25）の非使用時には、反射型スクリーン（25）を巻き取るためのものである。棒部材は、長細い円筒状に形成され、その長手方向の両端が担持部（27,27）によって担持されている。そして、棒部材は、軸中心に回転可能に構成されている。この棒部材には、駆動モータ（図示なし）が取り付けられ、該駆動モータを回転させることで、棒部材を回転させ、反射型スクリーン（25）を棒部材に巻き取らせるよう構成されている。
【００２０】
上記反射型スクリーン（25）は、プレゼンテーションの参加者が居室Ｂで映像を鑑賞する映像表示面を構成するものである。反射型スクリーン（25）は、やや横長の長方形状のシートに形成され、上端辺が上記棒部材に取り付けられている。反射型スクリーン（25）の使用時（図２の状態）には、ケーシング（26）から反射型スクリーン（25）を下方へ引き出して、その映像表示面をプロジェクタ（38）に向ける。一方、反射型スクリーン（25）の非使用時（図３の状態）には、駆動モータを回転させて棒部材が反射型スクリーン（25）を巻き取ってケーシング（26）内に収納させる。
【００２１】
コントローラ（40）は、居室Ａ及び居室Ｂ内に設けられる各機器類を制御するためのものである。図４に示すように、コントローラ（40）は、タッチパネル部（41）、日射計（51）、照度計（52）、空調機、照明、プロジェクタ（38）、ＤＶＤプレーヤ、音響調整ＡＶアンプ、反射型スクリーン（25）及びブラインド（18,39）に接続されている。日射計（51）及び照度計（52）の計測値はコントローラ（40）に送信されている。尚、空調機、照明、ＤＶＤプレーヤ、音響調整ＡＶアンプ及びブラインド（18,39）は、居室Ａ及び居室Ｂのそれぞれに設けられている。つまり、コントローラ（40）は、タッチパネル部（41）を入力手段として居室Ａ及び居室Ｂ内にそれぞれ設けられた機器類を制御するものである。
【００２２】
次に、本発明の特徴部分である壁部（20）の構造について説明する。
【００２３】
上記壁部（20）は、居室Ａと居室Ｂとの間に設けられ、両居室（A,B）間を仕切るためのものであり、本発明に係る壁本体部を構成するものである。壁部（20）には、該壁部（20）を貫通する開口部（21）と、該開口部（21）に嵌め込まれて壁部（20）に一体形成される透過型スクリーン（22）と、タッチパネル部（41）とが設けられている。尚、壁部（20）の中央部は、該壁部（20）の上方や下方よりも壁の厚みが薄く形成されている。
【００２４】
上記タッチパネル部（41）は、居室Ａ側及び居室Ｂ側の両居室内の各機器等を操作可能に構成されている。タッチパネル部（41）は、壁部（20）における開口部（21）のドア側の側部に設けられている。タッチパネル部（41）は、コントローラ（40）に接続されている。タッチパネル部（41）は、コントローラ（40）を介して、居室Ａ及び居室Ｂ内にそれぞれ設けられる各機器類を制御するよう構成されている。このタッチパネル部（40）は、図１及び図４に示すように、居室Ａ側タッチパネル部（41a）と居室Ｂ側タッチパネル部（41b）とで構成されている。
【００２５】
上記居室Ａ側タッチパネル部（41a）は、居室Ａ側から操作可能なタッチパネルであって、本発明に係る第２操作部に構成されている。居室Ａ側タッチパネル部（41a）は、居室Ａ内側から壁部（20）方向を視て、壁部（20）の右側に設けられている。居室Ａ側タッチパネル部（41a）は、コントローラ（40）を介して、図示はしないが、本発明に係る機器類に該当する居室Ａ内の空調機、照明、ＤＶＤプレーヤ、音響調整ＡＶアンプ及びブラインド（18）に接続されると共に、本発明に係る機器類に該当する居室Ｂ内の空調機、照明、ＤＶＤプレーヤ、プロジェクタ（38）、反射型スクリーン（25）の駆動モータ、音響調整ＡＶアンプ及びブラインド（39）に接続されている。ｈそして、タッチパネル部（41）の操作者が、居室Ａ側タッチパネル部（41a）を操作すると、図５に示すように、居室Ａ側において映像等が鑑賞されるよう居室Ａ及び居室Ｂ内に設置された上記各機器類が制御されるよう構成されている。
【００２６】
具体的に、図６に示すように、居室Ａ側タッチパネル部（41a）は、トップページでモードセレクト又は機器操作セレクトを選択するように構成されている。尚、図６は、タッチパネル上で選択する項目の階層構造を示す図である。上記モードセレクトは、居室Ａにおいて、映像投影の目的等に応じて鑑賞モードを選択するためのものである。操作者は、その目的に応じてモードを選択することで、ワンタッチで居室内を適切な空調環境、スクリーン設定、照明及び音響等に設定することができる。モードセレクトでは、さらにショールームモード、シアターモード、計測値表示モード及びプレゼンモードに分岐している。ショールームモードは、企業の商品映像等を投影して見学者に鑑賞させるためのものである。ショールームモードに設定されると、居室Ａでは、居室Ａ側のブラインド（18）が閉状態となる。また、居室Ｂでは、プロジェクタ（38）が透過型投写モードに切り換わり、且つ反射型スクリーン（25）が非使用状態となると共に、居室Ｂ側の照明が消灯される。尚、ショールームモードの設定と共に、居室Ａ及び居室Ｂ内の空調機及び音響ＡＶアンプ等が自動的に適切な設定となるように制御してもよい。ショールームモードでは、さらにプレゼンモード、セミナーモード、リラックスＢＧＭモード及びアクティブモードに分岐している。プレゼンモードは、商品等のプレゼンテーションを行うためのものである。セミナーモードは、商品等の説明を行うためのものである。リラックスＢＧＭモードは、企業等のＰＲビデオを鑑賞するためのものである。
【００２７】
また、シアターモードは、ＤＶＤプレーヤ等を用いて映像を鑑賞するためのものである。計測値表示モードは、居室内の温湿度環境を確認するためのものである。
【００２８】
上記機器操作セレクトは、居室Ａ及び居室Ｂに設置されている各機器を個別に操作するためのものである。機器操作セレクトでは、居室Ａ内の空調機、照明、ブラインド（18,39）、ＤＶＤプレイヤ、音響調整ＡＶアンプ、各種出力選択、及びエラー表示の操作や設定を行うと共に、居室Ｂ内の反射型スクリーン（25）の駆動モータ及びプロジェクタ（38）の操作や設定を行うことができる。尚、空調機については、空調機の運転状態や設定温度等について居室Ａ側タッチパネル部（41a）で設定することができる。また、プロジェクタ（38）については、プロジェクタ（38）の画面調整等を居室Ａ側タッチパネル部（41a）で設定することができる。
【００２９】
上記居室Ｂ側タッチパネル部（41b）は、居室Ｂ側から操作可能なタッチパネルであって、本発明に係る第１操作部に構成されている。居室Ｂ側タッチパネル部（41b）は、居室Ｂ内側から壁部（20）を視て、壁部（20）の左側に設けられている。居室Ｂ側タッチパネル部（41b）は、コントローラ（40）を介して、図示はしないが、本発明に係る機器類に該当する居室Ｂ内の空調機、照明、ＤＶＤプレーヤ、プロジェクタ（38）、反射型スクリーン（25）の駆動モータ、音響調整ＡＶアンプ及びブラインド（39）と共に、本発明に係る機器類に該当する居室Ａ内の空調機、照明、ＤＶＤプレーヤ、音響調整ＡＶアンプ及びブラインド（18）に接続されている。そして、タッチパネル部（41）の操作者が、居室Ｂ側タッチパネル部（41b）を操作すると、図５に示すように、居室Ｂ側において映像等が鑑賞されるよう居室Ｂ及び居室Ａ内に設置された上記各機器類が制御されるよう構成されている。
【００３０】
つまり、操作者が、居室Ａ側タッチパネル部（41a）を操作すると、居室Ａが使用状態（映像鑑賞可能状態）に設定される一方で、操作者が居室Ｂ側タッチパネル部（41b）を操作すると、居室Ｂが使用状態（映像鑑賞可能状態）に設定されるよう構成されている。
【００３１】
具体的に、図７に示すように、居室Ｂ側タッチパネル部（41b）は、トップページでモードセレクト又は機器操作セレクトを選択するように構成されている。尚、図７は、タッチパネル上で選択する項目の階層構造を示す図である。上記モードセレクトは、居室Ｂにおいて、映像投影の目的等に応じて鑑賞モードを選択するためのものである。操作者は、その目的に応じてモードを選択することで、ワンタッチで居室内を適切な空調環境、照明、音響等に設定することができる。モードセレクトでは、さらにショールームモード、シアターモード、計測値表示モード及びプレゼンモードに分岐している。ショールームモードは、企業の商品映像等を投影して見学者に鑑賞させるためのものである。ショールームモードに設定されると、居室Ｂでは、プロジェクタ（38）が反射型投写モードに切り換わり、且つ反射型スクリーン（25）が使用状態となると共に、居室Ｂ側の照明が消灯されると同時に、居室Ｂ側のブラインド（39）が閉状態となる。また、居室Ａでは、居室Ａ側のブラインド（18）が閉状態となる。尚、ショールームモードの設定と共に、居室Ｂ及び居室Ａ内の空調機及び音響ＡＶアンプ等が自動的に適切な設定となるように制御してもよい。ショールームモードでは、さらにプレゼンモード、セミナーモード、リラックスＢＧＭモード及びアクティブモードに分岐している。プレゼンモードは、商品等のプレゼンテーションを行うためのものである。セミナーモードは、商品等の説明を行うためのものである。リラックスＢＧＭモードは、企業等のＰＲビデオを鑑賞するためのものである。
【００３２】
また、シアターモードは、ＤＶＤプレーヤ等を用いて映像を鑑賞するためのものである。計測値表示モードは、居室内の温湿度環境を確認するためのものである。プレゼンテーションモードは、複数人に対して発表等を行うためのものである。
【００３３】
上記機器操作セレクトは、居室Ａ及び居室Ｂ内に設置されている各機器を個別に操作するためのものである。機器操作セレクトでは、居室Ｂ内の空調機、照明、ブラインド（18,39）、ＤＶＤプレイヤ、音響調整ＡＶアンプ、反射型スクリーン（25）の駆動モータ、プロジェクタ（38）、各種出力選択、及びエラー表示の操作や設定を行うことができる。尚、空調機については、空調機の運転状態や設定温度等について居室Ｂ側タッチパネル部（41b）で設定することができる。また、プロジェクタ（38）については、プロジェクタ（38）の画面調整等を居室Ｂ側タッチパネル部（41b）で設定することができる。
【００３４】
上記開口部（21）は、壁部（20）の中央部にやや横長の長方形状に形成された開口である。
【００３５】
上記透過型スクリーン（22）は、背面側から映像光を透過して正面側から映像を鑑賞するためのものである。透過型スクリーン（22）は、例えば、フレネルレンズシート、保持基材、光拡散レンズアレイシート等を積層させて構成される。また、フレネルレンズシート及び光拡散レンズアレイシートの内部には、輝度ムラやシンチレーションなどを低減するために透過光を拡散させる拡散層が設けられている。透過型スクリーン（22）は、開口部（21）とほぼ同外形状の、やや横長の長方形状に形成されている。透過型スクリーン（22）は、開口部（21）に嵌め込まれた状態で固定される。このため、透過型スクリーン（22）は、壁部（20）と一体になるよう形成されている。
【００３６】
−運転動作−
次に、本実施形態の壁部（20）へ投影された映像を鑑賞する動作について説明する。
【００３７】
まず、居室Ａにおいて、見学者が企業の製品等の紹介を撮影した映像を鑑賞する場合について説明する。尚、このとき、居室Ａには、椅子（16）等に見学者Ｐが座っている状態とする。
【００３８】
操作者が、居室Ａ側タッチパネル部（41a）を操作して、例えばショールームモードに設定すると、居室Ｂでは、照明が映像鑑賞に適した明るさまで落とされると共に、ブラインド（39）が閉められる。そして、反射型スクリーン（25）が収納状態（図３の状態）となって、プロジェクタ（38）を透過型投写モードで起動する。このとき、反射型スクリーン（25）が使用状態になっている場合は、駆動モータが回転して反射型スクリーン（25）が自動的に収納される。また、上記反射型スクリーン（25）の制御と同時に、居室Ａでは、居室Ａ側のブラインド（18）が閉められる。尚、このときに、居室Ａ内の空調機、及び音響調整ＡＶアンプ等が適切な状態となるよう自動的に設定されるよう制御してもよい。具体的には、空調機は稼動が開始されて室内温度が設定温度となるように運転する。音響調整ＡＶアンプは、プロジェクタ（38）の映像に対応した音量に設定される。そして、プロジェクタ（38）は、居室Ａ内の見学者Ｐを対象とした映像の映像光を投写する。プロジェクタ（38）から投写された映像光は、壁部（20）に一体形成された透過型スクリーン（22）の背面側（居室Ｂ側）へ投写される。そして、居室Ａ内の見学者Ｐは、透過型スクリーン（22）を正面側（居室Ａ側）から投影された映像を鑑賞する。
【００３９】
次に、居室Ｂにおいて、複数人の見学者に対する発表を行う場合について説明する。尚、このとき、居室Ｂには、椅子（36）に見学者が複数人座っている状態とする。
【００４０】
操作者が、居室Ｂ側タッチパネル部（41b）を操作して、例えばプレゼンテーションモードに設定すると、居室Ａでは、ブラインド（18）が閉められる。そして、居室Ｂの反射型スクリーン（25）が使用状態（図２の状態）となって、プロジェクタ（38）を反射型投写モードで起動する。このとき、反射型スクリーン（25）が収納状態となっている場合は、駆動モータが回転して反射型スクリーン（25）が自動的に引き出される。また、上記反射型スクリーン（25）の制御と同時に、居室Ｂでは、照明がプレゼンテーションに適した明るさまで落とされると共に、ブラインド（39）が閉められる。尚、このときに、居室Ｂ内の空調機、及び音響調整ＡＶアンプ等が適切な状態となるよう自動的に設定されるよう制御してもよい。具体的には、空調機は稼動が開始されて室内温度が設定温度となるように運転する。音響調整ＡＶアンプは、プロジェクタ（38）の映像に対応した音量に設定される。そして、プロジェクタ（38）では、居室Ｂ内の見学者を対象としたプレゼンテーション映像の映像光を投写する。プロジェクタ（38）から投写された映像光は、透過型スクリーン（22）の背面側（居室Ｂ側）の手前（居室Ｂの内方）に設置された反射型スクリーン（25）に投写される。そして、居室Ｂ内の発表者は、反射型スクリーン（25）に投影された映像又は画像を用いて、見学者に対してプレゼンテーションを行う。見学者は、反射型スクリーン（25）に投影された映像又は画像を鑑賞する。
【００４１】
−実施形態の効果−
本実施形態によれば、壁部（20）と一体に形成される透過型スクリーン（22）を取り付けたため、居室Ｂから投写した映像光を透過させて、居室Ａから映像を鑑賞することができる。これにより、映像を鑑賞する居室Ａにプロジェクタ（38）を設置する必要がなくなる。
【００４２】
また、壁部（20）の居室Ｂ側に反射型スクリーン（25）を設置したため、居室Ｂから投写した映像光を反射させて、該居室Ｂから映像を鑑賞することができる。つまり、居室Ｂのプロジェクタ（38）の映像光を、透過型スクリーン（22）に投写させて居室Ａから鑑賞する場合と、反射型スクリーン（25）に投写させて居室Ｂから鑑賞する場合とを選択することができる。これにより、２つの居室（A,B）でプロジェクタ（38）を共有させることができる。
【００４３】
さらに、居室Ｂ側タッチパネル部（41b）及び居室Ａ側タッチパネル部（41a）を設けたため、居室B側タッチパネル部（41b）では、居室Ｂでの映像鑑賞に必要な居室Ａ及び居室Ｂに設けられた機器類の設定を行うことができる一方、居室Ａ側タッチパネル部（41a）では、居室Ａでの映像鑑賞に必要な居室Ａ及び居室Ｂに設けられた機器類の設定を行うことができる。つまり、居室Ｂ側タッチパネル部（41b）を操作すると、居室Ｂのみならず居室Ａ内の機器類をも設定対象として居室Ｂで映像が鑑賞可能となる一方、居室Ａ側タッチパネル部（41a）を操作すると、居室Ａのみならず居室Ｂの機器類をも設定対象として居室Ａで映像が鑑賞可能となる。これにより、従来は、複数の居室には、各居室にのみ対応したそれぞれの操作部が設けられていたため、操作する居室以外の居室に設けられた機器類は操作することができなかった問題に対して、居室Ｂ側タッチパネル部（41b）を操作するだけで、両居室Ａ,Ｂの機器類の設定が同時になされて居室Ｂで映像を鑑賞できると共に、居室Ａ側タッチパネル部（41a）を操作するだけで、両居室Ａ,Ｂの機器類の設定が同時になされて居室Ａで映像を鑑賞できる。
【００４４】
〈その他の実施形態〉
本発明は、上記実施形態について、以下のような構成としてもよい。
【００４５】
上記実施形態で用いた透過型スクリーンは、一例であって、本発明は、他の様々な種類・構造の透過型スクリーンについても同様に適用することができる。
【００４６】
尚、上記実施形態では、透過型スクリーンを有する隣り合う２つの居室の操作に係るタッチパネルに本発明を適用したが、本発明は例えば、スクリーンとは別に複数の居室のそれぞれに設けられる設備（ブラインド及び空調機等）等を対象となる一の居室の要求に合わせて制御する制御手段に適用することができる。
【００４７】
また、上記両タッチパネル部（41a,41b）は、一方のタッチパネル部（41a,41b）で居室Ａ及び居室Ｂの両方の居室内の全ての機器の操作や設定を行うよう構成されてもよい。
【００４８】
尚、以上の実施形態は、本質的に好ましい例示であって、本発明、その適用物、あるいはその用途の範囲を制限することを意図するものではない。
【産業上の利用可能性】
【００４９】
以上説明したように、本発明は、展示施設の壁構造について有用である。
【図面の簡単な説明】
【００５０】
【図１】実施形態に係るフロアを示す平面図である。
【図２】実施形態に係る反射型スクリーンの使用状態を示すフロアの断面図である。
【図３】実施形態に係る反射型スクリーンの収納状態を示すフロアの断面図である。
【図４】実施形態に係るコントローラの接続状態を示す模式図である。
【図５】実施形態に係るタッチパネル部の設定と機器類の対応関係を示す表である。
【図６】実施形態に係る居室Ａ側タッチパネル部の階層構造を示す図である。
【図７】実施形態に係る居室Ｂ側タッチパネル部の階層構造を示す図である。
【符号の説明】
【００５１】
２０          壁部
２１          開口部
２２          透過型スクリーン
２５          反射型スクリーン
２６          ケーシング
４１ａ        居室Ａ側タッチパネル部
４１ｂ        居室Ｂ側タッチパネル部
【図１】
2010116709.tif 000003
【図２】
2010116709.tif 000004
【図３】
2010116709.tif 000005
【図４】
2010116709.tif 000006
【図５】
2010116709.tif 000007
【図６】
2010116709.tif 000008
【図７】
2010116709.tif 000009